(57)【要約】【課題】交換レンズにフードを装着したままであってもレンズキャップを容易に着脱をすることができるとともに、交換レンズの前端を下に向けて設置面に置くとき、交換レンズにフードが装着されていない状態であっても交換レンズを安定して設置面に置くことができるレンズキャップを提供する。【解決手段】円筒状のレンズキャップ本体（１）と、レンズキャップ本体（１）の中心軸（ＡＸ）に対して対称な位置に設けられ、中心軸（ＡＸ）と直交する方向に移動可能なキャップ着脱用つまみ（２，３）と、キャップ着脱用つまみ（２，３）に中心軸（ＡＸ）と平行に突出するように設けられ、レンズキャップ本体（１）の外周面（１ａ）より中心軸（ＡＸ）側に位置する突起部（２ａ，３ａ）とを備え、突起部（２ａ，３ａ）の幅をキャップ着脱用つまみ（２，３）の幅よりも広くした。【選択図】図１
2011252988.tif 000002
【特許請求の範囲】
【請求項１】
円筒状のレンズキャップ本体と、
前記レンズキャップ本体の中心軸に対して対称な位置に設けられ、前記中心軸と直交する方向に移動可能なキャップ着脱用つまみと、
前記キャップ着脱用つまみに前記中心軸と平行に突出するように設けられ、前記レンズキャップ本体の外周面より前記中心軸側に位置する突起部と
を備え、
前記突起部の幅は前記キャップ着脱用つまみの幅よりも広いことを特徴とするレンズキャップ。
【請求項２】
前記突起部の幅方向の両端部は前記突起部の中央部よりも前記中心軸から離れていることを特徴とする請求項１記載のレンズキャップ。
【請求項３】
前記突起部の両端部の高さは前記突起部の中央部の高さよりも高いことを特徴とする請求項１又は２記載のレンズキャップ。
【請求項４】
前記突起部に紐を通す貫通穴が形成されていることを特徴とする請求項１〜３のいずれか１項記載のレンズキャップ。
【請求項５】
前記突起部と前記レンズキャップ本体との間に前記紐が入り込める隙間が形成されていることを特徴とする請求項４記載のレンズキャップ。
【請求項６】
前記突起部の両端面に前記紐を固定するための溝が形成されていることを特徴とする請求項４記載のレンズキャップ。
【発明の詳細な説明】
【技術分野】
【０００１】
この発明はレンズキャップに関する。
【背景技術】
【０００２】
従来、レンズキャップの中心軸と直交する方向へ摺動する一対のつまみを有するレンズキャップが知られている（下記特許公報参照）。この一対のつまみはレンズ鏡筒より小径の円環状の突起部をそれぞれ有し、指で突起部を操作することにより交換レンズとレンズキャップとの螺合を解除することができる。このレンズキャップが、交換レンズにフードが取り付けられているときでも、指で突起部を操作することができるので、フードを取り外すことなく交換レンズからレンズキャップを取り外すことができる。
【先行技術文献】
【特許文献】
【０００３】
【特許文献１】特開２００４−７７７７０号公報
【発明の概要】
【発明が解決しようとする課題】
【０００４】
しかし、上述のレンズキャップでは、フードが交換レンズに装着されていない状態で交換レンズの前端を下に向けて設置面に置くとき、設置面と当接する突起部が中心軸の近くに位置し、しかも突起部の幅がつまみの幅と同じであるので、交換レンズを安定して設置面に置くことができない。
【０００５】
この発明はこのような事情に鑑みてなされたもので、交換レンズにフードを装着したままであってもレンズキャップを容易に着脱することができるとともに、交換レンズの前端を下に向けて設置面に置くとき、交換レンズにフードが装着されていない状態であっても交換レンズを安定して設置面に置くことができるレンズキャップを提供することである。
【課題を解決するための手段】
【０００６】
上記課題を解決するため請求項１記載の発明は、円筒状のレンズキャップ本体と、前記レンズキャップ本体の中心軸に対して対称な位置に設けられ、前記中心軸と直交する方向に移動可能なキャップ着脱用つまみと、前記キャップ着脱用つまみに前記中心軸と平行に突出するように設けられ、前記レンズキャップ本体の外周面より前記中心軸側に位置する突起部とを備え、前記突起部の幅は前記キャップ着脱用つまみの幅よりも広いことを特徴とする。
【０００７】
請求項２記載の発明は、請求項１記載のレンズキャップにおいて、前記突起部の幅方向の両端部は前記突起部の中央部よりも前記中心軸から離れていることを特徴とする。
【０００８】
請求項３記載の発明は、請求項１又は２記載のレンズキャップにおいて、前記突起部の両端部の高さは前記突起部の中央部の高さよりも高いことを特徴とする。
【０００９】
請求項４記載の発明は、請求項１〜３のいずれか１項記載のレンズキャップにおいて、前記突起部に紐を通す貫通穴が形成されていることを特徴とする。
【００１０】
請求項５記載の発明は、請求項４記載のレンズキャップにおいて、前記突起部と前記レンズキャップ本体との間に前記紐が入り込める隙間が形成されていることを特徴とする。
【００１１】
請求項６記載の発明は、請求項４記載のレンズキャップにおいて、前記突起部の両端面に前記紐を固定するための溝が形成されていることを特徴とする。
【発明の効果】
【００１２】
この発明によれば交換レンズにフードを装着したままであってもレンズキャップを容易に着脱することができるとともに、交換レンズの前端を下に向けて設置面に置くとき、交換レンズにフードが装着されていない状態であっても交換レンズを安定して設置面に置くことができる。
【図面の簡単な説明】
【００１３】
【図１】図１はこの発明の第１実施形態に係るレンズキャップの正面図である。
【図２】図２はこの発明の第１実施形態に係るレンズキャップの側面図である。
【図３】図３はこの発明の第１実施形態に係るレンズキャップの背面図である。
【図４】図４はレンズキャップを取り付けた状態を示す交換レンズの側面図である。
【図５】図５はフードを装着した状態を示す交換レンズの側面図である。
【図６】図６はこの発明の第２実施形態に係るレンズキャップの正面図である。
【図７】図７はこの発明の第２実施形態に係るレンズキャップの側面図である。
【図８】図８はこの発明の第２実施形態の変形例に係るレンズキャップの側面図である。
【発明を実施するための形態】
【００１４】
以下、この発明の実施の形態を図面に基づいて説明する。
【００１５】
図１はこの発明の第１実施形態に係るレンズキャップの正面図、図２はその側面図、図３はその背面図である。
【００１６】
このレンズキャップは有底円筒状のレンズキャップ本体１を備えている。レンズキャップ本体１は金属又はプラスチック等で形成された、ほぼ円筒状の円筒部１Ａと、円筒部１Ａの一端を塞ぐ蓋部１Ｂとを有する。
【００１７】
レンズキャップ本体１には、円筒部１Ａの中心軸ＡＸと直交する方向にそれぞれ移動可能な一対のつまみ（キャップ着脱用つまみ）２，３が設けられている。つまみ２とつまみ３とはレンズキャップ本体１の中心軸ＡＸに対して対称な位置にある。つまみ２に、交換レンズ１０（図４参照）の前端部に設けられたフィルタねじ（図示せず）と螺合するねじ部２ｅが形成されている。また、つまみ３に、交換レンズ１０の前端部に設けられたフィルタねじ（図示せず）と螺合するねじ部３ｅが形成されている。フィルタねじとねじ部２ｅ，３ｅとが螺合することでレンズキャップの交換レンズ１０からの脱落が防止される。
【００１８】
また、レンズキャップ本体１のつまみ２，３に中心軸ＡＸと平行に突出する突起部２ａ，３ａが設けられている。突起部２ａ，３ａは、レンズキャップ本体１の外周面１ａより中心軸ＡＸ側に位置する。突起部２ａ，３ａはそれぞれ幅方向の両端部が折れ曲がった長板状である。突起部２ａの幅はつまみ２の幅より十分に広く、突起部３ａの幅はつまみ３の幅より十分に広い。突起部２ａの両端部２ａ−１，２ａ−２は、それぞれ平板状であり、平板状の中央部２ａ−３に対して折れ曲がっており、中央部２ａ−３よりも中心軸ＡＸから離れている。同様に、突起部３ａの両端部３ａ−１，３ａ−２は、それぞれ平板状であり、平板状の中央部３ａ−３に対して折れ曲がっており、中央部３ａ−３よりも中心軸ＡＸから離れている。図１では端部２ａ−１，２ａ−２，３ａ−１，３ａ−２はそれぞれ中心軸ＡＸ周りにほぼ９０°の間隔をおいて位置している。
【００１９】
なお、突起部２ａの両端部２ａ−１，２ａ−２及び中央部２ａ−３の高さと突起部３ａの両端部３ａ−１，３ａ−２及び中央部３ａ−３の高さとは同じである。
【００２０】
蓋部１Ｂには、つまみ２，３をガイドするガイド溝２ｇがそれぞれ形成されている。ガイド溝２ｇはつまみ２，３の半径方向への移動をガイドする。
【００２１】
つまみ２，３の中央部には、つまみ２，３を摺動させるときに指先を引っ掛けるためのくぼみ２ｄ，３ｄがそれぞれ設けられている。
【００２２】
つまみ２，３とレンズキャップ本体１との間にはつまみ２，３をそれぞれ半径方向外方へ付勢するばね４が設けられている。したがって、フィルタねじとねじ部２ｅ，３ｅとが噛み合ったとき、レンズキャップ本体１が交換レンズ１０から脱落することを防止できる。
【００２３】
また、ばね４の付勢力によりレンズキャップ本体１からつまみ２，３が脱落しないように、つまみ２，３にはレンズキャップ本体１に設けられた抜け止め部１ｂと当接する脱落防止突起２ｆ，３ｆが設けられている。
【００２４】
図４はレンズキャップを取り付けた状態を示す交換レンズ１０の側面図である。なお、図４では交換レンズ１０にフード６は装着されていない。
【００２５】
交換レンズ１０には、交換レンズ１０に対して回転するズームリング１２が設けられている。
【００２６】
交換レンズ１０の前端（被写体側）には、被写体側レンズ（図示せず）を保護するレンズキャップ（レンズキャップ本体１）が装着されている。また、交換レンズ１０の前端側の外周面にはフード６（図５参照）を装着するためのフード取付部１５が設けられている。
【００２７】
交換レンズ１０の後端には、カメラ（図示せず）から交換レンズ１０を外したときに交換レンズ１０のカメラとの連結部を誤って硬いものにぶつけて変形させ、交換レンズ１０をカメラに装着できなくならないように、交換レンズ１０のカメラとの連結部を保護するリアキャップ３０が装着されている。
【００２８】
フード６が交換レンズ１０に装着されていない状態で交換レンズ１０の前端を下に向けて設置面Ｈに置いたとき、突起部２ａ，３ａが設置面Ｈに当接する。このとき、端部２ａ−１，２ａ−２，３ａ−１，３ａ−２（図４では端部２ａ−１，３ａ−１だけが見えている）は中心軸ＡＸから十分に離れ、しかも中心軸ＡＸの周りにほぼ９０°の間隔をおいた位置にある。
【００２９】
レンズキャップを着脱するときには、レンズキャップ本体１が露出した状態であるので、つまみ２，３が互いに接近するようにつまみ２，３を摺動させればよい。このとき、つまみ２，３の外周を押すことによっても、突起部２ａ，３ａに指を引っ掛けることによっても、つまみ２，３のくぼみ２ｄ，３ｄに指を引っ掛けることによってもレンズキャップを着脱することができる。
【００３０】
図５は交換レンズ１０にフード６を装着した状態を示す交換レンズ１０の側面図である。なお、フード６は断面で示してある。
【００３１】
交換レンズ１０にフード６を装着した状態でレンズキャップを着脱する方法を図１、３及び５を参照して説明する。
【００３２】
レンズキャップを交換レンズ１０に取り付けるときには、突起部２ａの中央部２ａ−３及び突起部３ａの中央部３ａ−３に指先を引っ掛けてばね４の弾性力に抗して突起部２ａ，３ａを互いに近づけた状態でフィルタねじとねじ部２ｅ，３ｅとを螺合させればよい。
【００３３】
これに対し、レンズキャップを交換レンズ１０から取り外すときは、突起部２ａの中央部２ａ−３及び突起部３ａの中央部３ａ−３に指先を引っ掛けてばね４の弾性力に抗して突起部２ａ，３ａを互いに近づけ、フィルタねじとねじ部２ｅ，３ｅとの噛み合いを解除すればよい。
【００３４】
この実施形態によれば、突起部２ａの幅及び突起部３ａの幅がそれぞれつまみ２の幅及びつまみ３の幅より広いので、交換レンズ１０にフード６を装着したままでも容易にレンズキャップを着脱をすることができるとともに、つまみ２の突起部２ａの両端部２ａ−１，２ａ−２及びつまみ３の突起部３ａの両端部３ａ−１，３ａ−２が中心軸ＡＸから離れた位置にあるので、交換レンズ１０の前端を下に向けて設置面Ｈに置くとき、フード６が交換レンズ１０に装着されていない状態であっても交換レンズ１０を安定して設置面Ｈに置くことができる。
【００３５】
また、突起部２ａの幅及び突起部３ａの幅がそれぞれつまみ２の幅及びつまみ３の幅より広いので、複数の指を突起部２ａ及び突起部３ａに掛けることができる。更に、突起部２ａ，３ａの中央部２ａ−３，３ａ−３はそれぞれ平板状であるので、従来例の円弧状の突起部より指を掛け易い。
【００３６】
図６はこの発明の第２実施形態に係るレンズキャップの正面図、図７はその側面図であり、第１実施形態と共通する部分には同一符号を付してその説明を省略する。
【００３７】
この実施形態は、突起部１２ａの両端部１２ａ−１，１２ａ−２の高さを中央部１２ａ−３の高さより高くするとともに、突起部１３ａの両端部１３ａ−１，１３ａ−２の高さを中央部１３ａ−３の高さより高くした点で、第１実施形態と相違する。なお、両端部１２ａ−１，１２ａ−２，両端部１３ａ−１，１３ａ−２の高さは同じである。
【００３８】
この実施形態によれば、第１実施形態と同様の効果を奏するとともに、交換レンズ１０の前端を下に向けて設置面Ｈに置くとき、設置面Ｈがあまり平坦でない場合においても交換レンズ１０を安定して設置面Ｈに置くことができ、交換レンズ１０が倒れ難くなる。
【００３９】
図８はこの発明の第２実施形態の変形例に係るレンズキャップの側面図であり、第２実施形態と共通する部分には同一符号を付してその説明を省略する。
【００４０】
この変形例は、突起部２２ａの一方の端部２２ａ−２に紐（図示せず）を通す貫通穴２２ｄを形成した点、端部２２ａ−１，２２ａ−２等とレンズキャップ本体１との間に紐が入り込める隙間ｓを形成した点、端部２２ａ−１，２２ａ−２等の端面に紐を固定するための溝２２ｆを形成した点で、第２実施形態と相違する。
【００４１】
端部２２ａ−２の貫通穴２２ｄに紐の一端部を通して端部２２ａ−２に取り付け、紐の他端部をカメラ本体や交換レンズに取り付ける。
【００４２】
この変形例によれば、第２実施形態と同様の効果を奏するとともに、以下の効果を奏する。
【００４３】
レンズキャップの紛失を防止することができる。
【００４４】
紐を隙間ｓに入れて紐をレンズキャップに巻き付けることで紐のたるみを防止して、紐が周囲のものに引っかからないようにすることができる。
【００４５】
レンズキャップに巻き付けられた紐の他端部を溝２２ｆに挿入することで紐が解けないように固定することができる。
【符号の説明】
【００４６】
１：レンズキャップ本体、１ａ：外周面、２，３：つまみ（キャップ着脱用つまみ）、２ａ，３ａ，１２ａ，１３ａ，２２ａ：突起部、２ａ−１，２ａ−２，３ａ−１，３ａ−２，１２ａ−１，１２ａ−２，１３ａ−１，１３ａ−２，２２ａ−１，２２ａ−２：端部、２ａ−３，３ａ−３，１２ａ−３，１３ａ−３，２２ａ−３：中央部、２２ｄ：貫通穴、２２ｆ：溝、ＡＸ：中心軸、ｓ：隙間。
【図１】
2011252988.tif 000003
【図２】
2011252988.tif 000004
【図３】
2011252988.tif 000005
【図４】
2011252988.tif 000006
【図５】
2011252988.tif 000007
【図６】
2011252988.tif 000008
【図７】
2011252988.tif 000009
【図８】
2011252988.tif 000010